(57)【要約】【課題】  引き出しの支持機構の低コスト化及び構造の簡素化を図ること。引き出しの横幅寸法をキャビネットの開口部の横幅寸法近くまで広げて、収納量を容易に増加させること。【解決手段】  キャビネット１の開口部１ａに引き出し２が出し入れ自在に収納される。引き出し２の下面２ａとこれに対向するキャビネット１の開口部１ａの底面１ｃとの間に、引き出し２を出し入れ方向にスライド自在に支持するための長尺の固定側レール３Ｂと長尺の可動側レール３Ａとからなるスライドレール機構３を配設する。キャビネット１の開口部１ａの一方の内側壁１ｄにピース状のガイド受け５Ｂを取り付けると共に引き出し２の一側面２ｂにピース状のガイド受け５Ｂにガイドされる線状又は辺状をした長尺のガイド部材５Ａを取り付ける。【選択図】        図１
2006334251.tif 000002
【特許請求の範囲】
【請求項１】
キャビネットの開口部に引き出しが出し入れ自在に収納され、上記引き出しの下面とこれに対向するキャビネットの開口部の底面との間に、引き出しを出し入れ方向にスライド自在に支持するための長尺の固定側レールと長尺の可動側レールとからなるスライドレール機構を配設し、上記キャビネットの開口部の一方の内側壁にピース状のガイド受けを取り付けると共に、引き出しの一側面に上記ピース状のガイド受けにガイドされる線状又は辺状をした長尺のガイド部材を取り付けてなることを特徴とする引き出しの支持構造。
【請求項２】
キャビネットの開口部に引き出しが出し入れ自在に収納され、上記引き出しの一側面とこれに対向するキャビネットの開口部の一方の内側壁との間に、引き出しを出し入れ方向にスライド自在に支持するための長尺の固定側レールと長尺の可動側レールとからなるスライドレール機構を配設し、上記キャビネットの開口部の底面にピース状のガイド受けを取り付けると共に、上記引き出しの下面に上記ピース状のガイド受けにガイドされる線状又は辺状をした長尺のガイド部材を取り付けてなることを特徴とする引き出しの支持構造。
【発明の詳細な説明】
【技術分野】
【０００１】
本発明は、引き出しの支持構造に関するものである。
【背景技術】
【０００２】
一般に、引き出しの両側面をスライドレール機構を介してキャビネットの開口部の両側面にスライド自在に支持し、引き出しの出し入れを円滑にできるようにした引き出し構造が知られている（例えば、特許文献１参照）。
【０００３】
ところが上記特許文献１に示される従来例では、スライドレール機構を引き出しの両側面にそれぞれ設ける必要があり、スライドレール機構の数が増えてコストが高くつくという問題があり、しかも、引き出しの両側面とキャビネットの開口部の両側面との間に、それぞれ、スライドレール機構を配置するためのスペースが必要となり、このため、引き出しの横幅寸法がスライドレール機構のスペース分だけ狭くなり、結果、引き出しの収納量が狭くなるという問題もある。
【特許文献１】実開平７−７５４０号公報
【発明の開示】
【発明が解決しようとする課題】
【０００４】
本発明は上記の従来の問題点に鑑みて発明したものであって、引き出しの支持機構の低コスト化及び構造の簡素化を図ることができると共に、引き出しの横幅寸法をキャビネットの開口部の横幅寸法近くまで広げることができ、引き出しの収納量を容易に増加させることができる引き出しの支持構造を提供することを課題とするものである。
【課題を解決するための手段】
【０００５】
上記課題を解決するために、請求項１に係る発明は、キャビネット１の開口部１ａに引き出し２が出し入れ自在に収納され、上記引き出し２の下面２ａとこれに対向するキャビネット１の開口部１ａの底面１ｃとの間に、引き出し２を出し入れ方向にスライド自在に支持するための長尺の固定側レール３Ｂと長尺の可動側レール３Ａとからなるスライドレール機構３を配設し、上記キャビネット１の開口部１ａの一方の内側壁１ｄにピース状のガイド受け５Ｂを取り付けると共に、引き出し２の一側面２ｂに上記ピース状のガイド受け５Ｂにガイドされる線状又は辺状をした長尺のガイド部材５Ａを取り付けてなることを特徴としている。
【０００６】
また請求項２に係る発明は、キャビネット１の開口部１ａに引き出し２が出し入れ自在に収納され、上記引き出し２の一側面２ｂとこれに対向するキャビネット１の開口部１ａの一方の内側壁１ｄとの間に、引き出し２を出し入れ方向にスライド自在に支持するための長尺の固定側レール３Ｂと長尺の可動側レール３Ａとからなるスライドレール機構３を配設し、上記キャビネット１の開口部１ａの底面１ｃにピース状のガイド受け５Ｂを取り付けると共に、上記引き出し２の下面２ａに上記ピース状のガイド受け５Ｂにガイドされる線状又は辺状をした長尺のガイド部材５Ａを取り付けてなることを特徴としている。
【０００７】
このような請求項１、請求項２の構成を採用することで、引き出し２の下面２ａ又は一側面２ｂのいずれか一方に設けたスライドレール機構３により引き出し２の出し入れを円滑にできると共に、引き出し２の下面２ａ又は一側面２ｂのいずれか他方に設けたガイド部材５Ａによって、引き出し２の横ブレやぐらつきを防止でき、引き出し２の安定姿勢を確保できるようになる。しかも、従来のように引き出し２の両側面にスライドレール機構３をそれぞれ設けた構造と比較して、スライドレール機構３の数が減少し、そのうえガイド部材５Ａ及びガイド受け５Ｂはスライドレール機構３と比べて安価であるため、組み付けコストを大幅に低減できると共に、引き出し２の横幅寸法を開口部１ａの横幅寸法近くまで広げることができるようになる。
【０００８】
また上記請求項１において、引き出し２の下面２ａにスライドレール機構３、引き出し２の一側面２ｂにガイド部材５Ａ及びガイド受け５Ｂを配置した場合は、スライドレール機構３が引き出し２の荷重を支えるので、ガイド部材５Ａ及びガイド受け５Ｂに荷重が殆どかからず、ガイド部材５Ａ及びガイド受け５Ｂを強度を要しない比較的安価な材料で構成でき、一層の低コスト化を図ることができる。また、スライドレール機構３が引き出し２の下面２ａに隠れるようになるので、外観上の見栄えも良くなる。
【発明の効果】
【０００９】
本発明に係る引き出しの支持構造は、スライドレール機構とガイド部材との併用によって、引き出しの出し入れ動作をスムーズに且つバランス良く行なうことができ、利便性が向上する。しかも従来よりもスライドレール機構の数を減らすことができるので、コストを低減でき、さらに引き出しの横幅寸法を開口部の横幅寸法近くまで広げることが可能となるので、引き出しの収納量を容易に増加させることができるものである。
【発明を実施するための最良の形態】
【００１０】
以下、本発明を添付図面に示す実施形態に基いて説明する。
【００１１】
キッチンキャビネット１のワークトップ６は、例えば図２に示すように、右側にシンク７、左側にＩＨ調理機器８等の厨房機器がそれぞれ配設され、中央側は料理の下ごしらえ、食器の洗浄の場合の調理台６ａとして用いられ、調理台６ａの下側に食器洗浄器９が組み込まれている。ワークトップ６の左右両端部の各下側にはそれぞれ縦長形状の引き出し２が出し入れ自在に収納されている。
【００１２】
上記縦長形状の引き出し２は、図３、図４に示すように、取っ手１０を有する前板１１と、背板１２と、前板１１と背板１２を連結する左右の側面フレーム１３と、トレイ１４が載設される底面フレーム等で構成されている。また図１に示すように、引き出し２の上部の片側半分に、包丁を収納する包丁収納部１９が設けられ、もう片側半分にまな板１６を保持したまな板スタンド１７を収納するためのスタンド収納部１８が設けられている。なお、まな板スタンド１７は、図４に示すように、まな板１６をその長辺方向を横向きにした横向き起立姿勢で保持する一対のＵ字状桟３１ａ，３１ａからなる保持フレーム３１を備えると共に、保持フレーム３１の上端に取っ手１５を備え、後面に回動支持脚３０を備え、スタンド収納部１８の前後両側に設けた引っ掛け部３５，３６にそれぞれ引っ掛けられるフック部３４，３５を備えており、まな板１６を保持したまな板スタンド１７がスタンド収納部１８に縦向き姿勢で収納保持されるものである。上記回動支持脚３０は、まな板スタンド１７をスタンド収納部１８から取り出して調理台１６ａ上に載置したときに、まな板スタンド１７の立て掛け姿勢を保持するものである。なお、まな板１６をその長辺方向を縦向きにした縦向き起立姿勢で保持するようにしてもよく、この場合、まな板スタンド１７の前後幅寸法を短くでき、これに伴い引き出し２のスタンド収納部１８の前後幅寸法を短くでき、スタンド収納部１８の後方（或いは前方）に空きスペースを生じさせて、引き出し２内の収納スペースを有効利用できるようになる。
【００１３】
ここで本発明においては、図１に示すように、引き出し２の下面２ａとこれに対向するキャビネット１の開口部１ａの底面１ｃとの間に、スライドレール機構３が配設されている。
【００１４】
スライドレール機構３は、図５に示すように、長尺の固定側レール３Ｂ（アウターレール）の内側に長尺の可動側レール３Ａ（インナーレール）がスライド嵌合しており、各レール３Ａ，３Ｂ間に複数のコロ３Ｃのような滑り手段が収納されて構成されている。このスライドレール機構３は、引き出し２の荷重を支えながら引き出し２を出し入れ方向にスライド自在に支持するためのものであり、引き出し２が手前いっぱいまで引き出し可能となっている。
【００１５】
上記固定側レール３Ｂはキャビネット１の開口部１ａの底面１ｃに取り付けられ、可動側レール３Ａは引き出し２の下面２ａに取り付けられている。図５に示す例では可動側レール３Ａを引き出し２の下面２ａに取り付ける方法として、引き出し２の下面２ａにトレイ１４を取り付け、このトレイ１４の下面２ａにその長さ方向に沿って複数条（例えば３条）の縦リブ２０〜２２が平行に垂設され、隣り合う２条の縦リブ２１，２２間に可動側レール３Ａを収納すると共に、可動側レール３Ａの側面の複数個所からビン２３を進退自在とし、図６に示すように、ピン２３を可動側レール３Ａの側面から突出させて、トレイ１４の縦リブ２２に開設したピン孔２４に挿入して固定できるようにしてある。これにより、トレイ１４を利用して引き出し２の下面２ａに対して可動側レール３Ａが取り付け可能となる。
【００１６】
また本発明においては、引き出し２の一側面２ｂに、スライドレール機構３ではなく、図１に示すように、ガイド手段５を配設している。このガイド手段５は、図７（ａ）に示すように、キャビネット１の開口部１ａの一方の内側壁１ｄに取り付けられるピース状のガイド受け５Ｂと、引き出し２の一側面２ｂに取り付けられ線状又は辺状をした長尺のガイド部材５Ａとで構成されている。
【００１７】
本例のピース状のガイド受け５Ｂは、例えば樹脂製の方形ブロックの上面に上方に開口した凹溝２５を設けて構成されており、ガイド受け５Ｂの側面部がキャビネット１の開口部１ａの一方の内側壁１ｄにビス等で固着されている。一方、引き出し２の一側面２ｂには、上記ガイド受け５Ｂにガイドされる長尺のガイド部材５Ａが取り付けられている。本例では、引き出し２の上部の側面フレーム１３を構成する１本の横フレームの外面に沿わせて辺状をした長尺のガイド部材５Ａの上縁部を固着し、ガイド部材５Ａの下縁部を上記ピース状のガイド受け５Ｂの凹溝２５にてガイドするようにしている。
【００１８】
なお、ピース状のガイド受け５Ｂの他例として、例えば図７（ｂ）に示すように、水平軸廻りに回転自在なローラ５Ｄを用い、ローラ５Ｄの軸部５Ｃにて上記長尺のガイド部材５Ａの下縁部をガイドする構成であってもよい。
【００１９】
ここで、図７（ａ）（ｂ）において、引き出し２の一側面２ａとキャビネット１の内側壁１ｄとの隙間Ｓを、内側壁１ｄからのガイド受け５Ｂ（或いはローラ５Ｃ）の突出寸法よりも大きく設定してあり、引き出し２を出し入れする際に引き出し２とガイド受け５Ｂとが干渉しない構造となっている。
【００２０】
上記構成によれば、引き出し２の下面２ａにスライドレール機構３、引き出し２の一側面２ｂにガイド部材５Ａ及びガイド受け５Ｂを配置することで、スライドレール機構３によって引き出し２の出し入れを円滑にしながら、ガイド部材５Ａ及びガイド受け５Ｂによって引き出し２の安定姿勢が確保されることとなり、引き出し２の出し入れ動作をスムーズに且つバランス良く行なうことができる。
【００２１】
また、引き出し２の下面２ａのみにスライドレール機構３を設けたので、従来のように引き出し２の両側面にスライドレール機構３をそれぞれ設けた構造と比較して、スライドレール機構３の数が減少し、そのうえ引き出し２の一側面２ｂに配設されるガイド部材５Ａ及びガイド受け５Ｂはスライドレール機構３と比べて安価であるため、組み付けコストを大幅に低減できると共に、引き出し２の横幅寸法を開口部１ａの横幅寸法近くまで広げることができ、引き出し２の収納量の増加を図ることができる。
【００２２】
ところで、従来のように引き出し２の左右両サイドにスライドレール機構３を設けると引き出し２が非常に滑りやすくなり、運搬時や地震時の振れによって、引き出し２が勢いよく飛び出してしまったり、引き出し２の内容物が散乱したりすることがあるが、本発明ではスライドレール機構３と併用されるガイド部材５Ａ及びガイド受け５Ｂが、引き出し２を引き出す際の横ブレや、ぐらつきを防ぎ、バランスを良好に保つ働き以外に、引き出し２の滑りをある程度抑制する働きをするので、運搬時や地震の際に引き出し２が不用意に飛び出したり、内容物が散乱したりするのを防止できるものである。
【００２３】
またスライドレール機構３を従来のように引き出し２の左右両側に配置すると、スライドレール機構３を正確な位置に取り付ける必要があり、取り付け作業に手間と時間を要するが、本発明では引き出し２の下面２ａのにスライドレール機構３を取り付けるため、取り付け位置に多少のズレがあっても、ガイド受け５Ｂとガイド部材５Ａとの摺動隙間において多少のズレを吸収できるので、スライドレール機構３の取り付け作業に精度が要求されず、組み立てに要する時間と手間を大幅に削減できる利点もある。
【００２４】
また本例では、引き出し２の下面２ａにスライドレール機構３、引き出し２の一側面２ｂにガイド部材５Ａ及びガイド受け５Ｂを配置しているので、引き出し２の荷重の殆どがスライドレール機構３によって支えられる形となり、ガイド部材５Ａ及びガイド受け５Ｂに荷重がほとんどかからず、ガイド部材５Ａ及びガイド受け５Ｂを強度を要しない樹脂製品等で構成でき、ガイド部材５Ａのコストをより低減できる。しかも引き出し２を引き出した状態で、スライドレール機構３が目につくことがないため、外観上の見栄えが一段と良くなる。
【００２５】
なお、図１の例に代えて、本発明の他例として図８に示すように、スライドレール機構３を引き出し２の一側面２ｂに配設し、ガイド部材５Ａを引き出し２の下面２ａ中央に配設してもよいものである。この場合において、引き出し２の一側面２ｂには上下２条の横リブ２１’，２２’を突出させ、この横リブ２１’，２２’間に可動側レール３Ａを取り付けるものであり、その取り付け方法は前記図５の実施形態と同様にして行なうことができる。また図８では、ガイド部材５Ａの位置を引き出し２の下面２ａ中央にしているが、例えば、スライドレール機構３とガイド部材５Ａとが引き出し２の対角線方向に位置するように、ガイド部材５Ａを引き出し２の下面２ａ中央よりも端部側（図８の左側）にずれた位置に設けるようにしてもよい。
【００２６】
本発明の引き出しの支持構造は、キッチンのキャビネットに設けられる引き出し２に限らず、例えば、机やタンス等の家具類に使用される引き出しにも広く適用可能である。
【図面の簡単な説明】
【００２７】
【図１】本発明の一実施形態の引き出しをキャビネットの開口部に出し入れ自在に支持した状態であって、引き出しの下面にスライドレール機構を配設し、引き出しの一側面にガイド部材を配設した状態を説明する正面図である。
【図２】同上の引き出しを備えたキャビネットの一例を説明する正面図である。
【図３】同上のキャビネットから引き出しを引き出す動作を説明する側面図である。
【図４】同上の引き出しに設けたスタンド収納部に、まな板を保持したまな板スタンドを縦向き姿勢で収納した状態を示す引き出しの側面図である。
【図５】同上のスライドレール機構を説明する正面図である。
【図６】同上のスライドレール機構の可動側レールと引き出しのトレイとの固定状態を説明する斜視図である。
【図７】（ａ）は同上のガイド部材とガイド受けの一例の説明図、（ｂ）はガイド部材とガイド受けの他の例の説明図である。
【図８】本発明の他の実施形態を説明する一部破断した正面図である。
【符号の説明】
【００２８】
１  キャビネット
１ａ  開口部
１ｃ  底面
１ｄ  内側壁
２  引き出し
２ａ  下面
２ｂ  一側面
３  スライドレール機構
３Ａ  可動側レール
３Ｂ  固定側レール
５Ａ  ガイド部材
５Ｂ  ガイド受け
【図１】
2006334251.tif 000003
【図２】
2006334251.tif 000004
【図３】
2006334251.tif 000005
【図４】
2006334251.tif 000006
【図５】
2006334251.tif 000007
【図６】
2006334251.tif 000008
【図７】
2006334251.tif 000009
【図８】
2006334251.tif 000010